(57)【要約】【課題】遊技機における基板ケースのコネクタの接続用窓部からの不正アタックを、より確実に防止できるようにすること。【解決手段】第１ケース及び第２ケースを有して内部に制御基板が設けられた基板ユニットを備え、前記第１ケースに、前記制御基板に接続されるコネクタのための接続用窓部が設けられた遊技機において、前記接続用窓部を密着状態で覆い、少なくとも一つのコネクタ用開口部を有する第３ケースを、前記第１ケースの内側から着脱自在に取り付け得るように構成し、前記第３ケースのうち、前記接続用窓部を覆う本体部の周辺部の一部に、前記窓部壁体の内側面に沿って設けられる内側壁体を立設させてある。【選択図】      図９
2008029488.tif 000002
【特許請求の範囲】
【請求項１】
第１ケース及び第２ケースを有して内部に制御基板が設けられた基板ユニットであって、前記第１ケース側に設けられる第１封止部と、前記第２ケース側に設けられる第２封止部と、その第１封止部と第２封止部とを連結する封止部材とを有し、その封止部材によって前記第１封止部と第２封止部とが連結されている場合に前記制御基板を取り出すときには基板ユニットを破壊するか或いは所定の部位を切断することを必要とする基板ユニットを備え、前記第１ケースに、前記制御基板に接続されるコネクタのための接続用窓部と、前記接続用窓部及び前記制御基板の表面から所定距離離れて略水平方向に設けられる天板部と、前記接続用窓部及び前記天板部を繋ぐ窓部壁体と、が設けられた遊技機において、
前記接続用窓部を密着状態で覆い、少なくとも一つのコネクタ用開口部を有する第３ケースを、前記第１ケースの内側から着脱自在に取り付け得るように構成し、
前記第３ケースのうち、前記接続用窓部を覆う本体部の周辺部の一部に、前記窓部壁体の内側面に沿って設けられる内側壁体を立設させてある、
ことを特徴とする遊技機。
【請求項２】
第１ケース及び第２ケースを有して内部に制御基板が設けられた基板ユニットであって、前記第１ケース側に設けられる第１封止部と、前記第２ケース側に設けられる第２封止部と、その第１封止部と第２封止部とを連結する封止部材とを有し、その封止部材によって前記第１封止部と第２封止部とが連結されている場合に前記制御基板を取り出すときには基板ユニットを破壊するか或いは所定の部位を切断することを必要とする基板ユニットを備え、前記第１ケースに、前記制御基板に接続されるコネクタのための接続用窓部と、前記接続用窓部及び前記制御基板の表面から所定距離離れて略水平方向に設けられる天板部と、前記接続用窓部及び前記天板部を繋ぐ窓部壁体と、が設けられた遊技機において、
少なくとも一つのコネクタ用開口部を有する第３ケースを、そのコネクタ用開口部より外側を覆うように在る所定部分と、それに対応する第１ケースの所定部分とが、それぞれ略平面形状に形成されて互いに接当する状態で、前記第１ケースの内側から着脱自在に取り付け得るように構成し、
前記第３ケースのうち、前記接続用窓部を覆う本体部の周辺部の一部に、前記窓部壁体の内側面に沿って設けられる内側壁体を立設させてある、
ことを特徴とする遊技機。
【発明の詳細な説明】
【技術分野】
【０００１】
本発明は、パチンコ機やスロットマシンに代表される遊技機に関するものである。
【背景技術】
【０００２】
このような遊技機としては、遊技を制御する制御基板を内部に収容した基板ケースを有する基板ユニットを備え、この基板ユニットは、封止機構（通常、封止部材により封止される封止部が複数ある）を備えており、基板ユニットを開封してＲＯＭ交換等の不正行為をしょうとすると痕跡が残り、不正が行われたことを容易に発見できるようにされているものが知られている。
また、前記封止部材を複数設けることで、これらを個別に使用するようにし、複数回の開閉操作（開封、封印）を可能にしている。
【０００３】
更に、前記基板ケースに収容される制御基板のコネクタに外部から配線を接続させるために、基板ケースには開口が必要となるが、コネクタ部分に不正行為がされることを考慮すれば、この開口はできるだけコネクタの形状に対応した大きさに止めて間隙の大きさを最小限にしておくことが望ましい。
このため、コネクタの数や形状の異なる複数種類の制御基板に対して、それぞれ基板ケースを別個に開発し、製作する必要が生じる。
【０００４】
このような問題を解消するために、従来においては、基板ケースにはコネクタに対応する箇所を設けず、基板ケースとは別体として開口を形成した部材（コネクタカバー）を設けるようにした基板ユニットを備える遊技機が提案されている。
このようにすれば、各種の遊技機の制御基板においてコネクタの数や形状などが異なる場合であっても、それぞれ別の形状の基板ケースを用意する必要がなくなり、コネクタカバーだけを換えれば対応できるため、余分な手間やコストがかからない。
【０００５】
このような構成の遊技機については、例えば、次の文献を挙げることができる。
【特許文献１】特開２０００−３２５６２８号公報。
【発明の開示】
【発明が解決しようとする課題】
【０００６】
しかし、上述した従来のコネクタカバーは、基板ケースと別体としたことにより各種の遊技機に対応した基板ケースを用意する必要が無くなったという点において進歩が見られたが、基板ケースの開口とコネクタとの間の間隙を埋める部材として考えられたもので、十分な強度を持たせるという構造を備えているものではなく、そのため、コネクタカバーを強制的に変形させることにより、間隙を形成してコネクタ部分に対する不正が行われる虞があった。
【０００７】
本発明は、かかる問題点に鑑みて案出されたものであり、遊技機における基板ケースのコネクタの接続用窓部からの不正アタックを、より確実に防止できるようにすることを目的とする。
【課題を解決するための手段】
【０００８】
本発明において、次の語彙を明らかにしておく。
第１ケース及び第２ケースとは、称呼上の区別であって、制御基板を収容する本体部或いはその蓋体部の何れを現すかは適宜に用いられるものであり、実施例では、制御基板を収容する本体部を第１ケースと呼称している。
前記第１ケースの接続用窓部とは、コネクタ接続により外部へ接続するための開口である。
また、第３ケースとは、前記接続用窓部を覆うもので、実施例はケース状（物を収容する容器）のものではないが（コの字の内側壁体を有するが）、第１ケース及び第２ケースとは別体の物として、第３ケースの称呼を与えている。
更に、第１ケースの接続用窓部を第３ケースが密着状態で覆うとは、例えば、第３ケースの本体部に設けられたコネクタ用開口部より外側を囲うように在る所定部分（本体部の所定部分）と、それに対応する第１ケースの所定部分とが密着状態となっていることを指す。
そして、第３ケースのコネクタ用開口部とは、制御基板に接続されるコネクタが位置するための開口である。
前記第３ケースの前記コネクタ用開口部を覆う本体部の周辺部の一部とは、本体部が正面視で矩形である場合には、その４辺の少なくとも一辺又は一辺の一部を指す。
また、第１ケースの前記接続用窓部を形成する窓部壁体とは、その形状を問わず、窓部を形成する近辺の壁体をいう。
更に、第３ケースの内側壁体とは、第１ケースの前記接続用窓部を形成する窓部壁体の内側（第１ケースの内部側）に位置するという意味で付された用語である。
【０００９】
本発明にかかる遊技機は、上記目的を達成するために、手段１として、
第１ケース及び第２ケースを有して内部に制御基板が設けられた基板ユニットであって、前記第１ケース側に設けられる第１封止部と、前記第２ケース側に設けられる第２封止部と、その第１封止部と第２封止部とを連結する封止部材とを有し、その封止部材によって前記第１封止部と第２封止部とが連結されている場合に前記制御基板を取り出すときには基板ユニットを破壊するか或いは所定の部位を切断することを必要とする基板ユニットを備え、前記第１ケースに、前記制御基板に接続されるコネクタのための接続用窓部と、前記接続用窓部及び前記制御基板の表面から所定距離離れて略水平方向に設けられる天板部と、前記接続用窓部及び前記天板部を繋ぐ窓部壁体と、が設けられた遊技機において、
前記接続用窓部を密着状態で覆い、少なくとも一つのコネクタ用開口部を有する第３ケースを、前記第１ケースの内側から着脱自在に取り付け得るように構成し、
前記第３ケースのうち、前記接続用窓部を覆う本体部の周辺部の一部に、前記窓部壁体の内側面に沿って設けられる内側壁体を立設させてあることを特徴とする。
【００１０】
このように、第１ケースの接続用窓部を覆う第３ケースの本体部の周辺部の一部に内側壁体を立設させたことによって、この第３ケースを構造的に強度あるものとすることができて、基板ユニットの内部へのワイヤー、冶具等による不正侵入に際して、第３ケースを変形させようとしたときに容易に変形させることが難しくなり、不正侵入をより一層確実に防止できる。
また、この内側壁体を前記第１ケースの前記接続用窓部を形成する窓部壁体の内側面に密着するようにしていることで、内側壁体と窓部壁体とが重なる部分が生じ、且つ、内側壁体が本体部から立設されていることで、両者の間にワイヤー等を侵入させようとしても、内側壁体が邪魔になって直線的に侵入できないと共に両者間に侵入を開始できたとしても、前記両者の重なる部分を通過しなければならず、その侵入方向が制限されることとなって、ケース内部に対する不正を容易に行い得ないのである。  
【００１１】
本発明にかかる遊技機は、上記目的を達成するために、手段２として、
第１ケース及び第２ケースを有して内部に制御基板が設けられた基板ユニットであって、前記第１ケース側に設けられる第１封止部と、前記第２ケース側に設けられる第２封止部と、その第１封止部と第２封止部とを連結する封止部材とを有し、その封止部材によって前記第１封止部と第２封止部とが連結されている場合に前記制御基板を取り出すときには基板ユニットを破壊するか或いは所定の部位を切断することを必要とする基板ユニットを備え、前記第１ケースに、前記制御基板に接続されるコネクタのための接続用窓部と、前記接続用窓部及び前記制御基板の表面から所定距離離れて略水平方向に設けられる天板部と、前記接続用窓部及び前記天板部を繋ぐ窓部壁体と、が設けられた遊技機において、
少なくとも一つのコネクタ用開口部を有する第３ケースを、そのコネクタ用開口部より外側を覆うように在る所定部分と、それに対応する第１ケースの所定部分とが、それぞれ略平面形状に形成されて互いに接当する状態で、前記第１ケースの内側から着脱自在に取り付け得るように構成し、
前記第３ケースのうち、前記接続用窓部を覆う本体部の周辺部の一部に、前記窓部壁体の内側面に沿って設けられる内側壁体を立設させてあることを特徴とする。
【００１２】
このように、第１ケースの接続用窓部を覆う第３ケースの本体部の周辺部の一部に内側壁体を立設させたことによって、この第３ケースを構造的に強度あるものとすることができて、基板ユニットの内部へのワイヤー、冶具等による不正侵入に際して、第３ケースを変形させようとしたときに容易に変形させることが難しくなり、不正侵入をより一層確実に防止できる。
また、第３ケースの内側壁体を、前記第１ケースの前記接続用窓部を形成する窓部壁体の内側面に沿わせるようにしていることで、内側壁体と窓部壁体とが重なる部分が生じ、且つ、内側壁体が本体部から立設されていることで、両者の間にワイヤー等を侵入させようとしても、内側壁体が邪魔になって直線的に侵入できないと共に両者間に侵入を開始できたとしても、前記両者の重なる部分を通過しなければならず、その侵入方向が制限されることとなって、ケース内部に対する不正を容易に行い得ないのである。  
【００１３】
手段３：手段１又は手段２の遊技機において、
前記内側壁体が、コの字の開口を前記第１ケースの外周側に向けた正面視でコの字を形成するように構成されていることを特徴とする。
このように、第３ケースの前記内側壁体がコの字状に構成されることで、単板が立設されるのに比べ、大幅な剛性のアップを図ることができて、第３ケースを変形させる不正侵入の防止をより一層確実なものとすることができる。
【００１４】
手段４：手段１乃至手段３の遊技機において、
前記第３ケースの本体部の外側面と第１ケースの接続用窓部の窓部壁体の端面が面一に形成され、前記第３ケースの長手方向のコの字の対向壁の外側に、前記第１ケースにネジ止めする連結部が夫々設けられ、前記第３ケースの本体部の外側面に対して直交する方向のネジ止めによって前記第３ケースの本体部が第１ケースの接続用窓部の窓部壁体を圧接密着するように構成されていることを特徴とする。
このように、第３ケースの本体部の外側面と第１ケースの窓部壁体の端面を面一にすることで、両者の接当を密着させることができると共に第３ケースの本体部の連結部を設けるに第３ケースの本体部の外側面に対して直交する方向のネジ止めとすることで、このネジの締め付けによって前記両者の密着状態に更に圧力を加えることができて、異物侵入を試みようとしても両者の合わせ目に容易に間隙が生じなくなるようにすることができる。
【００１５】
手段５：手段１乃至手段４の遊技機において、
前記第１ケースが透明又は半透明の合成樹脂で成型され、前記第３ケースの内側壁体の長手方向の内側壁体部分が、前記第１ケースの中心側に向けて、該第１ケースの壁体内面に近づく状態で略並行に延びて識別情報表示部に構成されていることを特徴とする。
このように、前記第３ケースに識別情報表示部が延設されていることで、この識別情報表示部が第３ケースの補強リブとして機能し、第３ケースの強度を向上させることができると共にこの部分に記号、名称等を付して識別情報表示することができ、この情報が、透明又は半透明の第１ケースから視認できるのである。
そして、この識別情報表示部が、第１ケースの壁体内面に近づく状態で略並行に延びる構成とされることで、第３ケースの内側壁体と第１ケースの壁体との間に異物を侵入させようとしたとき、その第３ケースの内側壁体が更に識別情報表示部として延設されていることで、両者の重複部を通り抜けたとしても直ぐに内部に至るものではなく、両者の間を簡単に通り抜けることができないのである。
【００１６】
手段６：手段１乃至手段５の遊技機において、
前記第１ケースの壁体内面の所定位置に、箱状のＣＰＵチップ収納部が設けられ、前記識別情報表示部が、前記ＣＰＵチップ収納部の長さを超える長さを有し、且つ、該ＣＰＵチップ収納部に対応する位置に配置され、該ＣＰＵチップ収納部に向けて延びるように構成されていることを特徴とする。
このように、第１ケースには、重要なＣＰＵチップを配置するに、これを不正侵入から保護するための箱状のＣＰＵチップ収納部が設けられているが、前記識別情報表示部を、このＣＰＵチップ収納部に対応する位置に設け、これに向かって延設されることで、
第１ケースの接続用窓部側からの不正侵入（第３ケースの内側壁体と第１ケースの壁体との間に異物を侵入させる）に対して、ワイヤー等をＣＰＵチップ収納部に到達させようとしても、この間で前記識別情報表示部が邪魔になり、ＣＰＵチップ収納部の所要の位置に到達することができず、ＣＰＵチップ収納部の付け根部（第１ケースの壁面との接合部）にしか到達できないのであり、ＣＰＵチップに対する保護をより確実なものとすることができる。
【００１７】
手段７：手段１乃至手段６の遊技機において、
前記第３ケースの本体部のコの字開口側の一側縁の外面部を受け止める受け面が前記第１ケースの窓部壁体に設けられていることを特徴とする。
即ち、第３ケースの本体部のコの字開口側では、そのままでは、上述の第３ケースの本体部の内側壁体と第１ケースの窓部壁体の端面との接当が得られないところを、第１ケースに受け面を設け、ここで第３ケースの本体部のコの字開口側の一側縁の外面部を受け止めるようにしたことで、結果として第１ケースの窓部壁体の全周に亘って、第３ケースの本体部を確実に接当密着させることができるのである。
【００１８】
手段８：手段１乃至手段７の遊技機において、
前記第１ケースの内側面には、敷設される制御基板の基板受面が形成され、且つ、前記第３ケースの本体部のコの字開口側の一側縁の内面部に沿って突条が設けられ、該第３ケースが第１ケースに固定された状態において、前記突条の内側面が、前記第１ケースの内側面の基板受面と連続して制御基板の基板受面を形成していることを特徴とする。
第１ケースの内側面には、制御基板をピッタリと嵌めこみ敷設するための基板受面が形成されているが、前記第１ケースの窓部壁体の開口によって、この部分だけ制御基板の嵌めこみが浮いてしまうのを防止し、全体としての制御基板の収まりを良くすることができる。
また、前記突条は、同時にその第３ケースの本体部のリブとして機能することにもなり、第３ケースの強度をアップさせる。
【００１９】
手段９：手段１乃至手段８の遊技機において、
前記第３ケースの本体部の外側面には、前記コネクタ用開口部を囲む保護壁が立設されていることを特徴とする。
第３ケースの本体部には、コネクタ用開口部が存在するが、この開口を単なる開口とすると、挿入されたコネクタは略全体が外部に露出することになり、コネクタに他物が接当するとコネクタが変形したり、接合不良を来たし易くなるが、上記のように保護壁を立設することでコネクタを保護することができると共にこのように本体部から保護壁を立設することで、この本体部の強度アップを図ることができる利点もある。
【発明の効果】
【００２０】
本発明によれば、遊技機における基板ケースのコネクタの接続用窓部からの不正アタックを、より確実に防止できるようにすることができる効果を奏する。
本発明のその他の利点は、以下の説明から明らかとなろう。
【発明を実施するための最良の形態】
【００２１】
以下、図面を参照しつつ本発明に係る遊技機の実施形態について説明する。なお、以下の実施形態では、便宜上、パチンコ機を挙げて説明するが、本発明は、パチンコ機以外の弾球遊技機（例えばアレンジボール機や雀球遊技機など）、その他、遊技球を用いる種々の形態の遊技機に適用することができる。
【００２２】
（パチンコ機の正面構成）
図１は本実施形態のパチンコ機１０の正面図であり、図２は、パチンコ機１０の左側面図であり、図３は、その平面図である。図４は、外枠１１に対して内枠１２と前面枠（セット）１４と、セット板４００を開放した状態を示す斜視図である。（但し、図４では便宜上、遊技盤３０面上の遊技領城内の構成〔釘、センター役物等〕を空白で示しているが、アウト口３６は描いてある）。
【００２３】
図１乃至図４に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。
前記内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ（アクリロニトリルーブタジエンースチレン）樹脂から成る。こうすることで、粘性が高く衝撃に強くでき、低コストで製造できるという利点が発揮される。
【００２４】
下皿ユニット１３は、内枠１２に対してネジ等の締結具により固定されている。この下皿ユニット１３の前面側には、下皿１５と球抜きレバー１７と遊技球発射ハンドル１８と灰皿２２と音出力口２４（内枠１２の左右上端部位置）が設けられている。球受皿としての下皿１５は、下皿ユニット１３のほぼ中央部に設けられており、後述の上皿１９が満タンになった場合等に排出口１６より排出される遊技球を停留する役割がある。球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。
【００２５】
そして、遊技球発射ハンドル１８は、下皿１５よりも右方で手前側に突出するように配設されている。遊技者による遊技球発射ハンドル１８の操作に応じて、遊技球発射装置３８（図４参照）によって遊技球が遊技盤３０の方へ打ち込まれるようになっている。遊技球発射装置３８は、遊技球発射ハンドル１８と後述するセットハンドルと発射モーターなどで構成されている。
音出力口２４は、内枠１２の左右上端部位置に設けられたスピーカからの音を出力するための出力口である。また、灰皿２２は、図１に示すように、下皿１５の左方に設けられている。灰皿２２は左右方向（水平方向）の軸線を軸心にして回動（例えば前方側に向けて前回り）するように支持されている。
【００２６】
なお、下皿ユニット１３はその大部分が内枠１２と同様、ＡＢＳ樹脂にて成形されている。こうすることで、粘性が高く衝撃に強くでき、低コストで製造できる。特に、下皿１５を形成する表面層と下皿１５の奥方の前面パネル部分とを難燃性のＡＢＳ樹脂にて成形している。このため、この部分は燃えにくくなっている。
【００２７】
また、前面枠１４は、図４に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠１４は内枠１２の外側壁（リブ）１２ｂ内に嵌まり込むようにして取り付けられている。
つまり、この前面枠１４の側面の少なくとも一部が内枠１２の外側壁（リブ）１２ｂ内に嵌まり込むようにして取り付けられているので、内枠１２と前面枠１４との隙間から異物（針状あるいは薄板状等のものであって、具体的には針金、ピアノ線、セルロイド板等）を差し入れるなどの不正行為を防止できるようになっている。また、前面枠１４は、内枠１２と同様に、合成樹脂、具体的にはＡＢＳ樹脂により構成されているので、粘性が高く衝撃に強くでき、低コストで製造できる。
【００２８】
一方、前面枠１４の下部（上述の下皿１５の上方位置）には、遊技球の受皿としての上皿１９（図１参照）が前面枠１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００２９】
図４に示すように、内枠１２は、外形が矩形状の樹脂ベース２０を主体に構成されており、樹脂ベース２０の中央部には略円形状の窓部孔２１が形成されている。
そして、樹脂ベース２０の後側には、図４及び図５に示す遊技盤３０が着脱可能に装着されている。図５に示すように、遊技盤３０は四角形状の合板よりなり、上部一方のコーナーが肩落ちされており(後に述べる)、その周縁部が樹脂ベース２０（内枠１２）の裏側に当接した状態で取着されている。
【００３０】
従って、遊技盤３０の前面部の略中央部分が樹脂ベース２０の窓部孔２１を通じて内枠１２の前面側に露出した状態となっている（図４では遊技盤３０のアウト口３６が示されている）。そして、ここでは、遊技盤３０の前記内枠１２の外枠１１に対する枢着部（パチンコ機１０の正面からみて左側に上下に延びる開閉軸線を軸心にした枢着）に近いコーナー（隅）が、図５に示すように、略三角形状に角落ち（切り欠き）７２０されている。
【００３１】
次に、図５を用いて遊技盤３０の構成を説明する。図５は遊技盤３０の構成を示す正面図である。遊技盤３０の左右やや下方位置には、２組一対の一般入賞口３１、３１が階段状に位置され、中央下方には、始動口３３が配置され、此れらに対応した入球検出センサが、遊技盤３０の背面に設けられており、これらのセンサは、図示しない電気配線を通じて後述する主制御基板（主制御装置）に接続されている。
そして、この一般入賞口３１、３１及び始動口３３に遊技球が入球した場合には、上記各検出センサで検出され、この検出センサの出力に基づいて、上皿１９（または下皿１５）へ所定数の賞品球が払い出されると共に、始動口３３に遊技球が入球した場合には、後述する抽選が開始されることになる。
【００３２】
尚、上記入賞感知センサにて各々検出された検出結果は、後述する主制御基板に取り込まれ、該主制御基板よりその都度の入賞状況に応じた払出指令（遊技球の払出個数）が払出制御基板に送信される。そして、該払出制御基板の出力により所定数の遊技球の払出が実施される。
かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００３３】
また、遊技盤３０の中央には液晶パネルを用いた装飾図柄表示装置４２が配置されており、その左右横側部には、スルーゲート３４，３４が配置されている。これらのスルーゲートは、遊技球の通過によって、後述の始動口３３の羽根物を開閉作動させる。
その他に、遊技盤３０の左右下方位置には、上記一般入賞口３１、３１を備えた装飾部材３５が設けられ、また、遊技盤３０の下部にはアウト口３６が設けられており、各種入賞装置等に入球しなかった遊技球はこのアウト口３６を通って、遊技盤３０裏面の図示しない球排出路の方へと案内されるようになっている。さらに、遊技盤３０には、遊技球の落下方向を適宜分散、調整等するために多数の誘導釘が植設されているとともに、同様の機能を有する風車が配設されている。
【００３４】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。
【００３５】
なお、レールユニット５０はフッ素樹脂を添加して成形されているので、遊技球の摩擦抵抗を少なくできる。内レール５１は上方の約１／４ほどを除いて略円環状に形成され、一部（主に左側部）か内レール５１に向かい合うようにして外レール５２が形成されている。
かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００３６】
内レール５１の先端部分（図５の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図５の右上部：外レール５２の先端部に相当する部位）に返しゴム５４が取着されている。従って、所定以上の勢いで発射された遊技球は、返しゴム５４に当たって跳ね返さわるようになっている。外レール５２の内側面には、遊技球の飛翔をより滑らかなものとするべく、つまり遊技球の摩擦抵抗を少なくするべく、長尺状をなすステンレス製の金属帯としての摺動プレートが取着されている。
【００３７】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。
【００３８】
内レール５１および外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路に導くための役目をなす。
なお、遊技盤３０の右下隅部および左下隅部は、証紙（例えば製造番号が記載されている）等のシール（図５のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図７のＳ１，Ｓ２）を貼着することで、遊技盤３０と証紙との一義性を持たせることができる。
【００３９】
次に、遊技領域について説明する。遊技領域は、レールユニット５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。
従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領城の下側限界位置は遊技盤３０の下端位置によって特定される。また、遊技領域の上側限界位置は外レール５２によって特定される。
【００４０】
前記樹脂ベースにおいて、窓部孔２１（遊技盤３０）の下方には、遊技球発射装置３８より発射された直後に遊技球を案内するための発射レールが取り付けられている。発射レールは、その後方の金属板を介して樹脂ベースに取付固定されており、所定の発射角度（打ち出し角度）にて直線的に延びるよう構成されている。従って、遊技球発射ハンドル１８の回動操作に伴い発射された遊技球は、まずは発射レールに沿って斜め上方に打ち出され、その後前述した通りレールユニット５０の球案内通路を通じて所定の遊技領域に案内されるようになっている。
【００４１】
また、発射レールとレールユニット５０（誘導レール）との間には所定間隔の隙間があり、この隙間より下方にファール球通路が形成されている。従って、仮に、遊技球発射装置３８から発射された遊技球が戻り球防止部材５３まで至らずファール球として誘導レール内を逆戻りする場合には、そのファール球がファール球通路を介して下皿１５に排出される。
【００４２】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路に誘導される、これにより、ファール球の全てがファール球通路に確実に案内されるようになり、ファール球と次に発射される遊技球との干渉が抑制される。
【００４３】
なお、詳しい図面の開示は省略するが、遊技球発射装置３８には、前面枠１４側の球出口（上皿１９の最下流部より通じる球出口）から遊技球が１つずつ供給される。また、遊技球発射装置３８には打球槌が設けられ、軸部を中心とする打球槌の回動に伴い遊技球が発射される。
【００４４】
図４中の符号６７は、上皿１９に通ずる排出口であり、この排出口６７を介して遊技球が上皿１９に排出される。この排出口６７には、略水平方向の回転軸を軸心として略水平状態と略垂直状態とに変位する開閉式のシャッタが取り付けられている、前面枠１４を内枠１２から開放した状能（図４の状態）では、バネ等の付勢力によりシャッタが略水平状態から略垂直状態となり、排出口６７から遊技球がこぼれ落ちないようにこの排出口６７を閉鎖する。
【００４５】
また、前面枠１４を閉鎖した状態では、当該前面枠１４の裏面に設けられた球通路樋６９（図４参照）によりシャッタが押し開けられて略水平状態になり、排出口６７の方へ排出された遊技球はもれなく球通路樋６９を通って上皿１９に排出されるようになる。従って、本パチンコ機１０においては、前面枠１４の開放に際し払出通路内等の遊技球がパチンコ機１０外にこぼれ落ちてしまうといった不都合が防止できるようになっている。
【００４６】
図４に示すように、内枠１２の上側には、前面枠１４が内枠１２に対して開かれたことを検出する前面枠セット開検出スイッチ９０が設けられている。前面枠１４が開かれると、前面枠セット開検出スイッチ９０からホール内（パテンコ店内）用コンピュータヘ出力されるようになっている。また、前面枠１４が閉じられると、前面枠１４の金属製の補強板が、内枠１２の一対の金具に接触するようになっており、前面枠１４のアースが確保されている。
【００４７】
ここで、前述した前面枠１４について、図１乃至図４を参照しつつより詳細に説明する。
前面枠１４には前記遊技領域のほとんどを外部から視認することができるよう略楕円形状の窓部１０１が形成されている。詳しくは、ベース部材が窓部１０１を形成する開口を備えており、その左右側の略中央部が、上下側に比べて比較的緩やかに湾曲して細化した形状となっている。なお、前記略中央部が直線状になるようにしてもよい。
【００４８】
加えて、前面枠１４には、その周囲（例えばコーナー部分）に、演出装置７００の一つとして、各種ランプ等の発光部が設けられている。これら発光部は、大当たり遊技状態時や羽根開放時等における遊技状態の変化に応じて点灯、点滅のように発光態様が変更制御され遊技中の演出効果を高める役割を果たすものである。例えば、窓部１０１の周縁には、ＬＥＤ等の発光部を内蔵した環状電飾部１０２が左右対称に設けられ、該環状電飾部１０２の中央であってパチンコ機１０の最上部には、同じくＬＥＤ等の発光部を内蔵した中央電飾部１０３が設けられている。
本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光部を内蔵した上皿電飾部１０４が設けられている。
【００４９】
その他、中央電飾部１０３の左右側方には、賞球払出し中に点灯する賞球ランプ１０５と所定のエラー時に点灯するエラー表示ランプ８１０、８１３（ＬＥＤ：後に言及）とが設けられている。また、環状電飾部１０２の下端部に隣接するようにして、内枠１２表面や遊技盤３０表面等の一部を視認できるよう透明樹脂からなる小窓部１０７が設けられている。この小窓部１０７の所定箇所を平面状としているので、遊技盤３０の右下隅部に貼り付けられた証紙などを、小窓部１０７の当該平面状箇所から機械で好適に読み取ることができる。更に、遊技領域内にも、入賞口用等の電飾ランプ、ＬＥＤが存在するが、こうした発光部も演出装置７００の一部を構成する。
【００５０】
また、図１に示すように、窓部１０１の下方には貸球操作部１２０が配設されており、貸球操作部１２０には球貸しボタンと、返却ボタンと、度数表示部とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。
【００５１】
そして、度数表示部はカード等の残額情報を表示するものである。なお、カードユニットを介さずに球貸し装置部から上皿１９に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００５２】
（パチンコ機の背面構成）
図６は、パチンコ機１０の背面図である。先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）や樹脂製の保護カバー等が取り付けられている。
【００５３】
本実施形態では、各種制御基板を２つの取付台に分けて搭載して２つの制御基板ユニットを構成し、それら制御基板ユニットを個別に内枠１２または遊技盤３０の裏面に装着するようにしている。この場合、主制御基板と音声ランプ制御基板とを取付台に搭載してユニット化すると共に、払出制御基板、発射制御基板および電源基板は、セット板の第２パーツを構成する排出通路盤にユニット化している。ここでは便宜上、前者のユニットを「第１制御基板ユニット２０１」と称し、後者のユニットを「第２制御基板ユニット２０２」と称することとする。
【００５４】
第１制御基板ユニット２０１、第２制御基板ユニット２０２は、ユニット単位で何ら工具等を用いずに着脱できるよう構成されており、さらにこれに加え、一部に支軸部を設けて内枠１２または遊技盤３０の裏面に対して開閉できる構成となっている。これは、各ユニット２０１、２０２やその他構成が前後に重ねて配置されても、隠れた構成等を容易に確認することを可能とするための工夫でもある。
【００５５】
従って、図７に示す一般入賞口３１、始動口３３に入賞した遊技球は何れも前記裏枠セットの回収通路を介して集合し、さらに排出通路盤の排出通路を介してパチンコ機１０外部に排出される。なお、アウト口３６（図７参照）も同様に排出通路に通じており、何れの入賞口にも入賞しなかった遊技球も排出通路を介してパチンコ機１０外部に排出される。
【００５６】
その他、図６に示すように、内枠１２の背面構成において、遊技盤３０の右下部には、後述する払出機構部３５２より払い出される遊技球を上皿１９、下皿１５、または排出通路の何れかに振り分けるための遊技球分配部が設けられている。
【００５７】
第１制御基板ユニット２０１は、略Ｌ字状をなす取付台を有し、この取付台に主制御装置２６１と音声ランプ制御装置とが搭載されている。ここで、主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主制御基板を具備しており、この主制御基板が透明樹脂材料等よりなる基板ケースに収容された構成とされる。
【００５８】
第２制御基板ユニット２０２は、払出制御装置３１１、発射制御装置３１２、電源制御装置３１３およびカードユニット接続基板３１４が含まれる。払出制御装置３１１、発射制御装置３１２および電源制御装置３１３は周知の通り制御の中枢をなすＣＰＵや、その他ＲＯＭ、ＲＡＭ、各種ポート等を含む制御基板を具備しており、払出制御装置３１１により、賞品球や貸出球の払出が制御される。
【００５９】
また、発射制御装置３１２により、遊技者による遊技球発射ハンドル１８の操作に従い発射モーターの制御が行われ、電源制御装置３１３により、各種制御装置等で要する所定の電源電圧が生成され出力される。カードユニット接続基板３１４は、パチンコ機前面の貸球操作部１２０（図１参照）および図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００６０】
上記払出制御装置３１１、発射制御装置３１２、電源制御装置３１３およびカードユニット接続基板３１４は、透明樹脂材料等よりなる基板ケース３１５（この内側に位置するもう一つの基板ケース），３１６，３１８にそれぞれ収容された構成とされる。
【００６１】
図６に示すように、払出制御装置３１１には状態復帰スイッチ３２１が設けられている。例えば、払出モーター部の球詰まり等、払出エラーの発生時において状態復帰スイッチ３２１が押下されると、払出モーターが正逆回転され、球詰まりの解消（正常状態への復帰）が図られるようになっている。また、電源制御装置３１３にはＲＡＭ消去スイッチ３２３が設けられている。
【００６２】
そして、図４に示す通り、前記内枠１２の外枠１１に対する枢着部７２５に近い前記遊技盤３０のコーナーが、図５に示すように、略三角形状（遊技盤の中心側は円弧状）に角落ち７２０されている。前記枢着部７２５は、図４に示すように、外枠１1に固定のブラケット７２６（上端部）（下端部は図外）に、内枠１２に固定の取り付け金具を枢着することで構成されている。
【００６３】
ここで、上述したエラー状態などの状態報知について図１及び図６に基づいて述べる。
［遊技球の払い出しに関するエラー報知］
（タンク球無し）
タンク球無しの報知は、タンクとタンクレールに遊技球が無いことを報知するもので、図１に示す右コーナーＬＥＤ８１０が点灯し、図６に示すモニターＬＥＤ８１１が消灯し、状態表示８１２が「１」を点滅表示する。
【００６４】
（下受け皿満タン）
下受け皿満タンの報知は、図１に示す右コーナーＬＥＤ８１３が点灯し、図６に示すモニターＬＥＤ８１１が消灯する。そして、状態表示８１２が「２」を点滅表示する。
【００６５】
（払出ユニット異常）
払出モーター駆動中にも関わらず払出カウントスイッチに遊技球の通過がない状態を示すもので、右コーナーＬＥＤ８１０が点灯し、モニターＬＥＤ８１１が消灯し、状態表示８１２が、「３」を点滅表示する。
【００６６】
［電源に関するエラー報知］
（ヒューズ切れ１及びヒューズ切れ２）
ヒューズ切れ１は、図６に示す第１ヒューズ８１４に定格以上の電流が流れたとき、ヒューズ切れ２は、第２ヒューズ８１５に以上の定格以上の電流が流れたときに飛んでしまった状態であるが、このエラー状態報知は、表示されない。
【００６７】
［その他のエラー報知］
その他のエラーとしては、「ガラス枠開放」、「内枠開放」、「遊技球等貸出装置未接続」、「遊技球等貸出装置通信異常」、「コマンド異常」、「コネクタ未接続」がある。そのうち、遊技球等貸出装置が未接続の場合は、図６に示すモニターＬＥＤ８１６及びモニターＬＥＤ８１７が消灯する。そして、遊技球等貸出装置通信異常は、前記状態表示８１２が「Ｕ」を点滅表示する。
また、コマンド異常は、ハーネスの破損等によるコマンド不良を示すもので、前記状態表示８１２が「Ｃ」を点滅表示する（電源投入時にコマンド異常になった場合は点灯表示）。更に、コネクタ未接続は、モニターＬＥＤ８１８が消灯する（ただし、発射動作中は点滅する）。
尚、図６において、８１９は、遊技機電源コードを示し、８２０は、電源スイッチを示し、８２１は、外部接続アース線を示す。
【００６８】
（特徴構成）
この実施例において、基板ユニットとして「第１制御基板ユニット２０１」と「第２制御基板ユニット２０２」について言及したが、本発明の特徴説明に際しては、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を収容してなる主制御装置２６１が搭載されている第１制御基板ユニット２０１について説明する。
【００６９】
前記第１制御基板ユニット２０１は、第１ケース７０及び第２ケース８５及び第３ケース９０を含む。この実施例では、第１ケース７０が主制御装置２６１の制御基板８０を収容する容積のある方であり、第２ケース８５がその蓋体に相当する方である。
図７乃至図１５に示すように、この基板ユニットは、前記第１ケース７０側に設けられる第１封止部７１と、前記第２ケース側に設けられる第２封止部８６と、その第１封止部７１と第２封止部８６とを連結する封止部材８７とを有し、その封止部材８７によって前記第１封止部７１と第２封止部８６とが連結されている場合に前記制御基板８０を取り出すときには基板ユニットを破壊するか或いは所定の部位を切断することを必要とするものであり、且つ、前記第１ケース７０に、前記制御基板８０に接続されるコネクタ９９のための接続用窓部７２が設けられたものである。
【００７０】
図７乃至図１０に示すように、前記第１ケース７０の第１封止部７１と第２ケース８５の第２封止部８６とは対を成すもので、この実施例では、個別に使用することのできる４個の封止部（封止、開封の再使用不可）から構成されており、それぞれを封止部材８７を用いて封止するよう構成されたものであり、こうした封止構造は、公知に属するものと変わらないものであるから、ここでの詳細説明は省略する。
【００７１】
また、前記接続用窓部７２の開口は、内部の制御基板８０に対するコネクタ９９の接続を行う為のものであるので、第２ケース８５との接合部側に位置された部分に形成されているものであり、第１ケース７０の一側部において壁面から段部７０ａが形成された所に、外側の部分を残して開口を形成しているものである。前記段部７０ａは，この実施例では、第１ケース７０の壁面から２０ｍｍの高さを持つように設定されている。
尚、この実施例においては、前記接続用窓部７２の開口は、約１５ｍｍ×１７７ｍｍのものが一つである。しかし、この開口は、他の形態として、一つでなく、複数に区画されている場合もこの接続用窓部７２に含まれる。
このように、前記第１ケース７０には、前記制御基板８０に接続されるコネクタ９９のための接続用窓部７２と、前記接続用窓部７２及び前記制御基板８０の表面から所定距離離れて略水平方向に設けられる天板部７７と、前記接続用窓部７２及び前記天板部７７を繋ぐ窓部壁体７３と、が設けられている。
【００７２】
図８及び図１０にも示すように、前記接続用窓部７２を密着状態で覆い、ここでは５個のコネクタ用開口部９１を有する第３ケース９０を、前記第１ケース７０の内側から着脱自在に取り付け得るように構成し、前記第３ケース９０の前記接続用窓部７２を覆う本体部９２の周辺部、ここでは長方形をなす本体部９２の３辺に、前記第１ケースの前記接続用窓部７２を形成する窓部壁体７３の内側面に密着する内側壁体９３を立設させてある。これらの具体構造については以下順次説明する。
【００７３】
尚、上記の第１ケース７０の接続用窓部を第３ケース９０が密着状態で覆う構成であるが、第３ケース９０の本体部９２に設けられたコネクタ用開口部９１より外側を囲うように在る所定部分（本体部９２の所定部分）と、それに対応する第１ケース７０の所定部分とが密着状態であれば好ましいが、要するに接当しておればよく、この意味において、コネクタ用開口部９１を有する第３ケース９０を、そのコネクタ用開口部９１より外側を覆うように在る所定部分（本体部９２の所定部分）と、それに対応する第１ケースの所定部分とが、それぞれ略平面形状に形成されて互いに接当する状態で、前記第１ケースの内側から着脱自在に取り付け得るように構成してあればよい。
【００７４】
この実施例では、図７にも示すように、前記内側壁体９３が、コの字の開口を前記第１ケースの外周側に向けた正面視でコの字を形成するように構成されている。この内側壁体９３は、コの字形成を形成する本体部９２の長辺に沿った内側壁体長辺部分９３ａと、その両隣の短辺の内側壁体短辺部分９３ｂ，９３ｂから成る。このコの字を形成するように見える正面視とは、第３ケース９０を第１ケース７０に装着した状態で、第１ケース７０の外側から正面視で見た状態を言う。実際には、第３ケース９０がその長辺が短辺に比べて非常に長い長方形であるため、内側壁体長辺部分９３ａと、その両隣の短辺の内側壁体短辺部分９３ｂ，９３ｂから成るコの字は、横長のコの字となっている。
このように、前記第３ケース９０のうち、前記接続用窓部７２を覆う本体部９２の周辺部の一部に、前記窓部壁体７３の内側面に沿って設けられる内側壁体９３を立設させてある。
【００７５】
そして、図７及び図９に示すように、前記第３ケース９０の本体部９２の外側面９２ａと第１ケース７０の接続用窓部７２の窓部壁体７３の端面７３ａが面一に形成され、前記第３ケース９０の長手方向のコの字の対向壁、ここでは前記内側壁体短辺部分９３ｂ，９３ｂの外側に、前記第１ケース７０にネジ止めする連結部９４が夫々設けられ、前記第３ケース９０の本体部９２の外側面９２ａに対して直交する方向のネジ止めによって前記第３ケース９０の本体部９２が第１ケース７０の接続用窓部７２の窓部壁体７３を圧接密着するように構成されている。この実施例では、前記内側壁体長辺部分９３ａと、その両隣の短辺の内側壁体短辺部分９３ｂ，９３ｂは、共に前記本体部９２の外側面９２ａからの立ち上がりが、１０ｍｍに設定されており、隣接する連結部９４の上下端は、前記本体部９２の底面（内側に位置）と前記内側壁体短辺部分９３ｂ，９３ｂの上端に一致するように構成されている。
【００７６】
また、前記第１ケース７０が、透明又は半透明の合成樹脂で成型され、前記第３ケース９０の内側壁体９３の長手方向の内側壁体部分、ここでは、前記内側壁体長辺部分９３ａの一部が、前記第１ケース７０の中心側に向けて、該第１ケース７０の壁体内面に近づく状態で略並行に延びて識別情報表示部９５に構成されている。この識別情報表示部９５は、前記第１ケース７０と同様に、第３ケース９０を形成する透明又は半透明の合成樹脂でもって、平板状に一体成型されているが、有色であってもよい。そして、この識別情報表示部９５は、前記内側壁体長辺部分９３ａの長手方向の略中間部分から、僅かに斜めに延びて（斜め部分が８ｍｍ程度）、しかる後に、その内側壁体長辺部分９３ａに対して直角の方向に延びている（約２３ｍｍ程度）。
【００７７】
上記第３ケース９０の本体部９２の外側面９２ａには、前記コネクタ用開口部９１を囲む保護壁９６が立設されている。
この実施例においては、前記コネクタ用開口部９１は、既述のように５個が互いに所定の間隔を空けて設けられており、その二つに前記保護壁９６が設けられている。この保護壁９６の前記本体部９２の外側面９２ａからの立ち上がりの高さは、６ｍｍに設定している。勿論、何れのコネクタ用開口部９１に保護壁９６を設けるのかは設計上の問題であり（対応位置の制御基板８０の特定構造のコネクタの接続を必要とする各素子の配置による）、場合によっては、全てのコネクタ用開口部９１に保護壁９６を設ける場合もあると共に逆に何れのコネクタ用開口部９１にも設けないこともあり得る。
【００７８】
図１０に示すように、前記第１ケース７０の壁体内面の所定位置、ここでは略中央位置に、箱状のＣＰＵチップ収納部７４が設けられ、前記識別情報表示部９５が、前記ＣＰＵチップ収納部７４の長さ（ここでは、６５ｍｍ）を超える長さ（１００ｍｍ）を有し、且つ、該ＣＰＵチップ収納部７４に対応する位置に配置され、該ＣＰＵチップ収納部７４に向けて延びる（２５ｍｍ）ように構成されている。
【００７９】
図９に示すように、前記第３ケース９０の本体部９２のコの字開口側の一側縁の外面部９２ａを受け止める受け面７５が前記第１ケース７０の窓部壁体７３に設けられている。
この受け面７５は、第１ケース７０の窓部壁体７３を構成する第１ケース７０の一側辺の内側に位置し、この一側辺の内側に形成された細幅の基板受面７６から、この第３ケース９０の厚み分だけ一段落ち込んだ状態で形成されている。
そして、この受け面７５は、第１ケース７０の窓部壁体７３の端面７３ａと面一に形成されている。
【００８０】
前記第１ケース７０の内側面には、敷設される制御基板８０の基板受面７６が形成され、且つ、前記第３ケース９０の本体部９２のコの字開口側の一側縁の内面部に沿って突条９７が設けられ、該第３ケース９０が第１ケース７０に固定された状態において、前記突条９７の内側面９７ａが、前記第１ケース７０の内側面の基板受面７６と連続して制御基板８０の側端部に接当する面を形成している。
【００８１】
（作用）
上記の構成、即ち、第１ケース７０の接続用窓部７２を覆う第３ケース９０の本体部９２の周辺部の一部に内側壁体９３を立設させたことによって、この第３ケース９０を構造的に強度あるものとすることができて、基板ユニットの内部へのワイヤー、冶具等による不正侵入に際して、第３ケース９０を変形させようとしたときに容易に変形させることが難しくなり、不正侵入をより一層確実に防止できるものである。
【００８２】
また、上記内側壁体９３を前記第１ケース７０の前記接続用窓部７２を形成する窓部壁体７３の内側面に密着するようにしていることで、内側壁体９３と窓部壁体７３とが重なる部分が生じ、且つ、内側壁体７２が本体部９２から立設されていることで、両者の間にワイヤー等を侵入させようとしても、内側壁体９３が邪魔になって直線的に侵入できないと共に両者間に侵入を開始できたとしても、前記両者の重なる部分を通過しなければならず、その侵入方向が制限されることとなって、ケース内部に対する不正を容易に行い得ないのである。
【００８３】
更に、第３ケース９０の前記内側壁体が９３の字状に構成されることで、単板が立設されるのに比べ、大幅な剛性のアップを図ることができて、第３ケース９０を変形させる不正侵入の防止をより一層確実なものとすることができる。
また、第３ケース９０の本体部９２の外側面９２ａと第１ケース７０の窓部壁体７３の端面７３ａを面一にすることで、両者の接当を密着させることができると共に第３ケース９０の本体部９２の連結部９４を設けるに、第３ケース９０の本体部９２の外側面９２ａに対して直交する方向のネジ止めとすることで、このネジの締め付けによって前記両者の密着状態に更に圧力を加えることができて、異物侵入を試みようとしても両者の合わせ目に容易に間隙が生じなくなるようにできるのである。
【００８４】
そして、前記第３ケース９０に識別情報表示部９５が延設されていることで、この識別情報表示部９５が第３ケース９０の補強リブとして機能し、第３ケース９０の強度を向上させることができると共にこの部分に記号、名称等を付して識別情報表示することができ、この情報が、透明又は半透明の第１ケース７０から視認できるのである。
また、この識別情報表示部９５が、第１ケース７０の壁体内面に近づく状態で略並行に延びる構成とされることで、第３ケース９０の内側壁体９３と第１ケース７０の壁体との間に異物を侵入させようとしたとき、その第３ケース９０の内側壁体９３が更に識別情報表示部９５として延設されていることで、両者の重複部を通り抜けたとしても直ぐに内部に至るものではなく、両者の間を簡単に通り抜けることができないのである。
【００８５】
また、第１ケース７０には、重要なＣＰＵチップを配置するに、これを不正侵入から保護するための箱状のＣＰＵチップ収納部７４が設けられているが、前記識別情報表示部９５を、このＣＰＵチップ収納部７４に対応する位置に設け、これに向かって延設されることで、第１ケース７０の接続用窓部７２側からの不正侵入（第３ケース９０の内側壁体９３と第１ケース７０の壁体との間に異物を侵入させる）に対して、ワイヤー等をＣＰＵチップ収納部７４に到達させようとしても、この間で前記識別情報表示部９５が邪魔になり、ＣＰＵチップ収納部７４の所要の位置に到達することができず、ＣＰＵチップ収納部７４の付け根部（第１ケース７０の壁面との接合部）にしか到達できないのであり、ＣＰＵチップに対する保護をより確実なものとすることができる。
【００８６】
更に、第３ケース９０の本体部９２のコの字開口側では、そのままでは、上述の第３ケース９０の本体部９２の内側壁体９３と第１ケース７０の窓部壁体７３の端面７３ａとの接当が得られないところを、第１ケース７０に受け面７５を設け、ここで第３ケース９０の本体部９２のコの字開口側の一側縁の外面部９２ａを受け止めるようにしたことで、結果として第１ケース７０の窓部壁体７３の全周に亘って、第３ケース９０の本体部９２を確実に接当密着させることができるのである。
【００８７】
また、第１ケース７０の内側面には、制御基板８０をピッタリと嵌めこみ敷設するための基板受面７６が形成されているが、前記第１ケース７０の窓部壁体７３の開口によって、この部分だけ制御基板８０の嵌めこみが浮いてしまうのを防止し、全体としての制御基板８０の収まりを良くすることができる。
そして、前記突条９７は、同時にその第３ケース９０の本体部９２のリブとして機能することにもなり、第３ケース９０の強度をアップさせる。
【００８８】
更に、第３ケース９０の本体部９２には、コネクタ用開口部９１が存在するが、この開口を単なる開口とすると、挿入されたコネクタ９９は略全体が外部に露出することになり、コネクタ９９に他物が接当するとコネクタが変形したり、接合不良を来たし易くなるが、上記のように保護壁９６を立設することでコネクタ９９を保護することができると共にこのように本体部９２から保護壁９６を立設することで、この本体部９２の強度アップを図ることができる利点もある。
【産業上の利用可能性】
【００８９】
本発明は、遊技機における基板ケースのコネクタの接続用窓部からの不正アタックを、より確実に防止できるので、どのような種類の遊技機においても実施可能であり、その実施の応用範囲は広いものである。
【図面の簡単な説明】
【００９０】
【図１】本発明にかかる遊技機の一例であるパチンコ機の正面図である。
【図２】本発明にかかる遊技機の一例であるパチンコ機の右側面図である。
【図３】本発明にかかる遊技機の一例であるパチンコ機の平面図である。
【図４】本発明にかかる遊技機の一例であるパチンコ機の外枠に対して内枠、前面枠、セット板を夫々開いた状態を示す斜視図である。
【図５】本発明にかかる遊技機の一例であるパチンコ機の遊技盤の正面図である。
【図６】本発明にかかる遊技機の一例であるパチンコ機の背面図である。
【図７】本発明にかかる遊技機の一例であるパチンコ機の基板ユニットの表面側から見た分解斜視図である。
【図８】本発明にかかる遊技機の一例であるパチンコ機の基板ユニットの表面側から見た要部の斜視図である。
【図９】本発明にかかる遊技機の一例であるパチンコ機の基板ユニットの裏面側から見た分解斜視図である。
【図１０】本発明にかかる遊技機の一例であるパチンコ機の基板ユニット裏面側から見た要部の斜視図である。
【図１１】本発明にかかる遊技機の一例であるパチンコ機の第３ケースの平面図である。
【図１２】本発明にかかる遊技機の一例であるパチンコ機の第３ケースの底面図である。
【図１３】本発明にかかる遊技機の一例であるパチンコ機の第３ケースの正面図である。
【図１４】本発明にかかる遊技機の一例であるパチンコ機の第３ケースの背面図である。
【図１５】本発明にかかる遊技機の一例であるパチンコ機の第３ケースの一側面図である。
【符号の説明】
【００９１】
７０：第１ケース
７１：第１封止部
７２：接続用窓部
７３：窓部壁体
７３ａ：窓部壁体の端面
７４：ＣＰＵチップ収納部
７５：受け面
７６：基板受面
８０：制御基板
８５：第２ケース
８６：第２封止部
８７：封止部材
９０：第３ケース
９１：コネクタ用開口部
９２：本体部
９２ａ：外側面
９３：内側壁体
９３ａ：内側壁体長辺部分
９３ｂ：内側壁体短辺部分
９４：連結部
９５：識別情報表示部
９６：保護壁
９７：突条
９７ａ：内側面
９９：コネクタ
【図１】
2008029488.tif 000003
【図２】
2008029488.tif 000004
【図３】
2008029488.tif 000005
【図４】
2008029488.tif 000006
【図５】
2008029488.tif 000007
【図６】
2008029488.tif 000008
【図７】
2008029488.tif 000009
【図８】
2008029488.tif 000010
【図９】
2008029488.tif 000011
【図１０】
2008029488.tif 000012
【図１１】
2008029488.tif 000013
【図１２】
2008029488.tif 000014
【図１３】
2008029488.tif 000015
【図１４】
2008029488.tif 000016
【図１５】
2008029488.tif 000017